(57)【要約】【課題】  限られた表示スペースでより多くの情報をわかりやすく表示する。【解決手段】  複数の画像データが記録されている記録媒体から画像データを読み出し、ＴＶモニタ等に表示するに際して、同一のアスペクト比の画像データを選別し、その選別された画像データの縮小画像をＴＶモニタに複数同時にインデックス表示する。その場合に、例えばアスペクト比４：３の画像データであれば縮小画像も４：３とし、アスペクト比１６：９の画像データであれば縮小画像も１６：９とし、そのアスペクト比に応じて縮小画像数も変更する。【選択図】  図１
2006237876.tif 000002
【特許請求の範囲】
【請求項１】
複数の画像データが記録されている記録媒体から画像データを読み出し、表示部に表示可能な画像再生装置であって、
前記画像データから同一のアスペクト比の画像データを選別する選別手段と、
前記選別手段により選別された画像データの縮小画像を前記表示部に複数同時にインデックス表示する手段とを備えたことを特徴とする画像再生装置。
【請求項２】
同一のアスペクト比の縮小画像だけをインデックス表示することを特徴とする請求項１に記載の画像再生装置。
【請求項３】
所定のアスペクト比の縮小画像をトリミングして別のアスペクト比の縮小画像とするトリミング手段を備えたことを特徴とする請求項２に記載の画像再生装置。
【請求項４】
前記縮小画像のアスペクト比をその本画像のアスペクト比と同一にすることを特徴とする請求項１〜３のいずれか１項に記載の画像再生装置。
【請求項５】
インデックス表示する縮小画像の枚数を変更する変更手段を備えたことを特徴とする請求項１〜４のいずれか１項に記載の画像再生装置。
【請求項６】
前記記録媒体にはアスペクト比４：３の画像データ及びアスペクト比１６：９の画像データが記録されていることを特徴とする請求項１〜５のいずれか１項に記載の画像再生装置。
【請求項７】
複数の画像データが記録されている記録媒体から画像データを読み出し、表示部に表示可能な画像再生装置によるインデックス表示方法であって、
前記画像再生装置が、前記画像データから同一のアスペクト比の画像データを選別する手順と、
前記選別手順により選別された画像データの縮小画像を前記表示部に複数同時にインデックス表示する手順とを行うことを特徴とするインデックス表示方法。
【請求項８】
複数の画像データが記録されている記録媒体から画像データを読み出し、表示部に表示可能な画像再生装置を制御するためのコンピュータプログラムであって、
前記画像データから同一のアスペクト比の画像データを選別する処理と、
前記選別手段により選別された画像データの縮小画像を前記表示部に複数同時にインデックス表示する処理とをコンピュータに実行させることを特徴とするコンピュータプログラム。
【発明の詳細な説明】
【技術分野】
【０００１】
本発明は画像再生装置、画像再生装置によるインデックス表示方法、及びコンピュータプログラムに関する。
【背景技術】
【０００２】
例えばデジタルカメラにおいて、リムーバブルメモリに記録された画像データの表示方法として、通常の一画像を表示する方法以外に、記録された画像データの縮小画像（サムネイル画像）を複数同時に表示するインデックス表示方法が知られている。
【０００３】
このインデックス表示は、リムーバブルメモリに記録された画像データの縮小画像を例えば６枚同時に画面表示する機能である。このようなインデックス表示においては、デジタルカメラ内蔵の液晶パネルや外部モニタ（ＴＶ）といった限られた表示スペースにいかに多くの情報をわかりやすく表示するかが重要となる。
【０００４】
従来の画像再生装置として、表示する縮小画像サイズの大きさを設定することで、インデックス表示を行う際に、画像を出力するモニタ画面（サイズやアスペクト比）に適した表示画像数を決定するものがある（特許文献１を参照）。
【０００５】
【特許文献１】特開平１１−２１２７５５号公報
【発明の開示】
【発明が解決しようとする課題】
【０００６】
近年、ハイビジョン放送も本格化され、従来のアスペクト比４：３画面のテレビだけでなく、ワイドな１６：９画面のテレビも普及し始めている。また、デジタルカメラやデジタルビデオカメラにおいても、アスペクト比４：３の画像データだけでなく、アスペクト比１６：９の画像データが記録可能なものもでてきている。そのため、リムーバブルメモリに、複数のアスペクト比の画像データが混在して記録されていることが珍しくなくなっている。
【０００７】
現在デジタルカメラで記録される画像データは、Ｅｘｉｆ(Exchangeable image file format)準拠のフォーマットを採用したＪＰＥＧ画像データが主流である。Ｅｘｉｆとは、ヘッダー部、サムネイル画像部、本画像部で構成されるファイルフォーマットであり、サムネイル画像部には画像サイズ１６０×１２０ピクセル（アスペクト比４：３）の画像データを記録することが規定されている。デジタルカメラでインデックス表示する際には、このサムネイル画像を利用して画面表示を行う場合が多い。
【０００８】
しかしながら、本画像のアスペクト比が１６：９（１９２０×１０８０ピクセル）で記録されたファイルでは、インデックス表示を行う際に、１６：９の画像の上下を黒く塗りつぶし、レターボックス化したアスペクト比４：３のサムネイル画像を画面表示することとなる。
【０００９】
このように、従来の画像再生装置においてインデックス表示を行う場合、図７に示すように、アスペクト比１６：９の画像がレターボックス化されてアスペクト比４：３の画像として表示され、通常のアスペクト比４：３の画像と混在して表示される。そのため、ユーザにとって必要な情報である映像部分が縮小化されて表示された上、さらにその一部がレターボックス化されているため、非常に識別しにくいものとなってしまうという問題がある。
【００１０】
本発明は上記のような点に鑑みてなされたものであり、限られた表示スペースでより多くの情報をわかりやすく表示することを目的とする。
【課題を解決するための手段】
【００１１】
本発明による画像再生装置は、複数の画像データが記録されている記録媒体から画像データを読み出し、表示部に表示可能な画像再生装置であって、前記画像データから同一のアスペクト比の画像データを選別する選別手段と、前記選別手段により選別された画像データの縮小画像を前記表示部に複数同時にインデックス表示する手段とを備えた点に特徴を有する。
本発明によるインデックス表示方法は、複数の画像データが記録されている記録媒体から画像データを読み出し、表示部に表示可能な画像再生装置によるインデックス表示方法であって、前記画像再生装置が、前記画像データから同一のアスペクト比の画像データを選別する手順と、前記選別手順により選別された画像データの縮小画像を前記表示部に複数同時にインデックス表示する手順とを行う点に特徴を有する。
本発明によるコンピュータプログラムは、複数の画像データが記録されている記録媒体から画像データを読み出し、表示部に表示可能な画像再生装置を制御するためのコンピュータプログラムであって、前記画像データから同一のアスペクト比の画像データを選別する処理と、前記選別手段により選別された画像データの縮小画像を前記表示部に複数同時にインデックス表示する処理とをコンピュータに実行させる点に特徴を有する。
【発明の効果】
【００１２】
本発明によれば、アスペクト比の異なる画像データが混在して記録された記録媒体の画像をインデックス表示する際に、同一のアスペクト比の縮小画像だけをモニタに適したレイアウトで表示することが可能となり、限られた表示スペースでより多くの情報をわかりやすく表示することができる。
【発明を実施するための最良の形態】
【００１３】
以下、添付図面を参照して、本発明の好適な実施形態について説明する。
図１は、本発明を適用した画像記録再生装置の概略構成を示す図である。同図において、ＭＣ１はデータの記録再生可能なメモリカード、Ｂ４はメモリカードＭＣ１へのデータの書き込み及び読み出しを制御するメモリカード制御部である。
【００１４】
Ｃ１は被写体を撮像してカメラ映像信号に変換する撮像部、Ｂ２は各部の制御を行うシステムコントロール部、Ｂ３は撮像部Ｃ１で得られたカメラ映像信号の処理を行うカメラ映像信号処理回路、Ｂ１はカメラ映像信号処理回路Ｂ３で処理されたカメラ映像信号をＪＰＥＧデータにエンコードしたり、メモリカードＭＣ１から読み出されたＪＰＥＧデータをデコードしたりする記録／再生データ処理回路である。
【００１５】
Ｖ１は撮影画像の表示や再生画像の表示を行う液晶パネル、Ｍ１は記録時や再生時に画像データのバッファリングを行うためのデータメモリ、Ｆ１は不図示のＴＶモニタへの映像出力端子である。
【００１６】
ＳＷ１は映像信号出力をアスペクト比１６：９の映像信号とするか、アスペクト比４：３の映像信号とするかを切り替える映像信号出力切替えスイッチ、ＳＷ２は通常の一画像再生画面とインデックス表示画面を切り替える表示切替えスイッチ、ＳＷ３は撮影用スイッチ、ＳＷ４は記録画像サイズを１９２０×１０８０ピクセル（アスペクト比１６：９）とするか、１２８０×９６０ピクセル（アスペクト比４：３）とするかを切り替える記録画像切替えスイッチである。記録画像切替えスイッチＳＷ４を切り替えることにより、アスペクト比１６：９の画像データ及びアスペクト比４：３の画像データをメモリカードＭＣ１に記録することができる。
【００１７】
記録／再生データ処理回路Ｂ１では、液晶パネルＶ１及びＴＶモニタに出力する映像信号を生成する。この場合に、映像信号出力切替えスイッチＳＷ１により、（ａ）アスペクト比１６：９の映像信号とするか、（ｂ）アスペクト比４：３の映像信号とするかを切り替えることが可能である。通常のＴＶモニタ（画面の横縦比４：３）へ映像信号を出力する際は、アスペクト比４：３の映像信号（ｂ）を選択し、ワイドＴＶモニタ（画面の横縦比１６：９）へ映像信号を出力する際は、アスペクト比１６：９の映像信号（ａ）を選択する。
【００１８】
図２に、画像データファイルのファイル構成を示す。本実施形態の画像記録再生装置では、多くのデジタルカメラにて採用されているＥｘｉｆ準拠のファイル構成をもつ画像データファイルを取り扱う。画像データは、ヘッダー情報部２０１、サムネイル画像部２０２、本画像部２０３の３つデータを有する。
【００１９】
本画像部２０３には、記録された画像データがＪＰＥＧ形式のデータとして格納される。
【００２０】
サムネイル画像部２０２には、本画像部２０３の画像データを１６０×１２０ピクセル（アスペクト比４：３）に縮小した画像（サムネイル画像）データが格納される。
【００２１】
ヘッダー部２０１には、画像の幅、画像の高さ、サムネイル画像のトリミング情報（トリミング開始位置、幅、高さ）等の情報がヘッダー情報として格納される（図３を参照）。図３の例では、本画像のアスペクト比が１６：９（１９２０×１０８０ピクセル）であることを表わししている。また、ヘッダー情報に基づいて、図４に示すように、記録／再生データ処理回路Ｂ１によりサムネイル画像のトリミング処理が行われる。
【００２２】
次に、図５を参照して、本実施形態の画像記録再生装置における処理動作について説明する。液晶パネルＶ１及びＴＶモニタに出力する映像信号をアスペクト比４：３で出力する（すなわち、通常のＴＶモニタ（画面の横縦比４：３）へ映像信号を出力する）か、アスペクト比１６：９で出力する（すなわち、ワイドＴＶモニタ（画面の横縦比１６：９）へ映像信号を出力する）かを映像信号出力切替えスイッチＳＷ１にて選択する（ステップＳ１）。
【００２３】
まず、映像信号出力切替えスイッチＳＷ１によりアスペクト比１６：９の映像信号出力モードが選択された場合について説明する。表示切替えスイッチＳＷ２によりインデックス表示に切り替えられると（ステップＳ２）、インデックス表示モードに移行して、カウンタ値を０とする（ステップＳ３）。
【００２４】
続いて、ヘッダー情報部２０１に記述された「画像の幅」及び「画像の高さ」に基づいて表示する画像の画像サイズを判別し（ステップＳ４）、アスペクト比１６：９の画像でなければ、次の画像を選択する（ステップＳ９）。
【００２５】
アスペクト比１６：９の画像であれば、サムネイル画像データをメモリカードＭＣ１からデータメモリＭ１に読み出す（ステップＳ５）。上述したようにサムネイル画像データは１６０×１２０ピクセル（アスペクト比４：３）となっており、１６：９の画像の上下を黒く塗りつぶし、レターボックス化したものとなっている。データメモリＭ１に展開されたサムネイル画像データから、ヘッダー情報に基づいてサムネイル画像のうち映像部分だけをトリミングするトリミング処理を行う（ステップＳ６）。
【００２６】
その後、カウンタ値をインクリメントして（ステップＳ７）、カウンタ値が「１２」より小さいかどうかを判別し（ステップＳ８）、「１２」より小さければ、次の画像を選択する（ステップＳ９）。
【００２７】
すなわち、１６：９画面へのインデックス表示時には、これらステップＳ４〜ステップＳ９の処理を１２回繰り返した後、図６に示すように、記録／再生データ処理回路Ｂ１により生成されたアスペクト比１６：９のサムネイル画像データを液晶パネルＶ１又は外部モニタに対して出力し、モニタ画面にインデックス表示する（ステップＳ１０）。
【００２８】
次に、映像信号出力切替えスイッチＳＷ１によりアスペクト比４：３の映像信号出力モードが選択された場合について説明する。表示切替えスイッチＳＷ２によりインデックス表示に切り替えられると（ステップＳ１１）、インデックス表示モードに移行して、カウンタ値を０とする（ステップＳ１２）。
【００２９】
続いて、ヘッダー情報部２０１に記述された「画像の幅」及び「画像の高さ」に基づいて表示する画像の画像サイズを判別し（ステップＳ１３）、アスペクト比４：３の画像でなければ、次の画像を選択する（ステップＳ１７）。
【００３０】
アスペクト比４：３であれば、サムネイル画像データをメモリカードＭＣ１からデータメモリＭ１に読み出す（ステップＳ１４）。上述したようにサムネイル画像データは１６０×１２０ピクセル（アスペクト比４：３）となっているので、そのままとする。
【００３１】
その後、カウンタ値をインクリメントして（ステップＳ１５）、カウンタ値が「６」より小さいかどうかを判別し（ステップＳ１６）、「６」より小さければ、次の画像処理へ移行する（ステップＳ１７）。
【００３２】
すなわち、４：３画面へのインデックス表示時は、これらステップＳ１３〜ステップＳ１７の処理を６回繰り返した後、アスペクト比４：３のサムネイル画像データを液晶パネルＶ１又は外部モニタに対して出力し、モニタ画面にインデックス表示する（ステップＳ１８）。
【００３３】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００３４】
この場合、記憶媒体から読み出されたプログラムコード自体が上述した実施形態の機能を実現することになり、プログラムコード自体及びそのプログラムコードを記憶した記憶媒体は本発明を構成することになる。
【００３５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００３６】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００３７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００３８】
【図１】本発明を適用した画像記録再生装置の概略構成を示す図である。
【図２】画像データファイルのファイル構成を示す図である。
【図３】ヘッダー情報を説明するための図である。
【図４】サムネイル画像のトリミング処理について説明するための図である。
【図５】本実施形態の画像記録再生装置における処理動作について説明するためのフローチャートである。
【図６】本実施形態の画像記録再生装置における１６：９画面でのインデックス表示画面を示す図である。
【図７】従来の画像再生装置におけるインデックス表示画面を示す図である。
【符号の説明】
【００３９】
Ｃ１    撮像部
Ｂ１    記録／再生データ処理回路
Ｂ２    システムコントロール部
Ｂ３    カメラ映像信号処理回路
Ｂ４    メモリカード制御部
Ｍ１    データメモリ
ＭＣ１  メモリカード
Ｖ１    液晶パネル
Ｆ１    映像出力端子
ＳＷ１  映像信号出力切替えスイッチ
ＳＷ２  表示切替えスイッチ
ＳＷ３  撮影用スイッチ
ＳＷ４  記録画像切替えスイッチ
【図１】
2006237876.tif 000003
【図２】
2006237876.tif 000004
【図３】
2006237876.tif 000005
【図４】
2006237876.tif 000006
【図５】
2006237876.tif 000007
【図６】
2006237876.tif 000008
【図７】
2006237876.tif 000009